(57)【要約】      （修正有）【課題】光源と、光源から離れて光源と同軸に配置されたレンズ及び／又は反射板と、押すことで光ビームのビーム角を変更するためのプッシュ−プッシュ型調整アセンブリとを含む、反射型ランプを提供する。【解決手段】ランプに固定して結合されたフレーム１０１と、レンズ又は反射板に動作可能に接続されたスライダ１０２と、フレーム内でスライダを移動させるためにスライダ及び／又はフレームに結合されたプッシュ−プッシュ型ラッチ機構１０３とを含む。スライダは、移動によりレンズ又は反射板を光源に対して摺動させることができるようにフレーム内に移動可能に配置した。【効果】レンズ又は反射板と光源の間に可変の軸方向間隔を提供する調整アセンブリ１００により、反射型ランプの前方のレンズ及び／又は反射板に直接的に又は間接的に押圧力を加えることによって、光ビーム角を変更することができる。【選択図】図５Ａ−５Ｂ
2019135714.tif 000002
【特許請求の範囲】
【請求項１】
光ビームを生成するための光源と、
キャビティを定める内側反射面及び該内側反射面の縁部によって形成された開口を有する反射板と、ここで前記光源は前記キャビティ内に配置され、
前記光源と同軸に配置されかつ前記光源から離されたレンズと
を含む反射型ランプであって、前記反射型ランプは、押すことで前記光ビームのビーム角を変更するためのプッシュ−プッシュ型調整アセンブリを更に含み、該プッシュ−プッシュ型調整アセンブリは、
前記ランプに固定して結合されたフレームと、
前記レンズ又は前記反射板に作用可能に接続されたアクチュエータと、ここで前記アクチュエータは、前記アクチュエータの移動により前記レンズ又は前記反射板を前記光源に対して摺動させることができるようにして前記フレーム内に移動可能に配置され、それにより前記レンズ又は前記反射板と前記光源の間に可変の軸方向間隔を提供し、
前記フレーム内で前記アクチュエータを移動させてラッチ係合するために、前記アクチュエータ及び／又は前記フレームに結合されたプッシュ−プッシュ型ラッチ機構と
を含むことを特徴とする反射型ランプ。
【請求項２】
前記プッシュ−プッシュ型調整アセンブリは、カムトラックとラッチピンのアセンブリとして与えられ、
前記フレームと、
前記フレーム内に摺動可能に配置されたスライダとして構成された前記アクチュエータと、ここで前記スライダにカムトラックが定められ、
ピン部材として構成された前記プッシュ−プッシュ型ラッチ機構と、ここで前記ピン部材は、前記フレームに接続された第１の端部と、第２の端部とを有し、該第２の端部は、前記スライダに対する押圧力の交互の印加及び除去に応答して、前記スライダに前記フレーム内の複数の静止位置の間を行き来させるために前記スライダの前記カムトラックに選択的に係合可能であり、
前記スライダを前記押圧力とは反対方向に付勢するために前記スライダに作用する弾性部材と
を含む、請求項１に記載の反射型ランプ。
【請求項３】
前記スライダは、前記フレーム内に全体が配置され、前記カムトラックとラッチピンのアセンブリは、
前記スライダの上方に配置された少なくとも１つのプランジャと、
前記プランジャの個数に対応した個数である少なくとも１つの対向した枢動キャッチの対と
を更に含み、前記枢動キャッチの対は、前記スライダに回転可能に配置され、前記プランジャに対する押圧力の交互の印加及び除去に応答して、閉じて前記プランジャを捕捉し、開いて前記プランジャを解放する、請求項２に記載の反射型ランプ。
【請求項４】
それぞれのプランジャは、前記ランプに固定されたハウジングと、該ハウジングに取り付けられたスプリングバレルと、該スプリングバレルに収容されたばね部材とを含み、前記プランジャは、前記ばね部材を通り抜け、かつ上側プランジャ部分と下側プランジャスタッドとを含み、前記上側プランジャ部分は、頂部ボタンと、前記ばね部材の上端に載るストッパとを有し、前記ストッパは前記スプリングバレルの上端によって拘束され、前記下側プランジャスタッドは、前記スプリングバレルを越えて突出し、前記枢動キャッチの対によって捕捉可能である、請求項３に記載の反射型ランプ。
【請求項５】
前記カムトラックは、所定の一方向経路に従って閉じた進路内で前記ピン部材の移動を案内するために、複数の異なる溝の深さを有する複数のトラック部分によって定められた前記閉じた進路を含む、請求項２〜４のいずれか１つに記載の反射型ランプ。
【請求項６】
前記ピン部材は、複数のロック位置でラッチ係合されるように閉じた進路内を移動可能でありかつ案内される摺動端部を有し、前記複数のロック位置はそれぞれ、前記フレーム内での前記スライダの前記複数の静止位置に対応する、請求項２〜５のいずれか１つに記載の反射型ランプ。
【請求項７】
前記カムトラックは、前記ピン部材の前記摺動端部が、前記スライダが拡張位置である第１のラッチ係合位置及び前記スライダが格納位置である第２のラッチ係合位置でラッチ係合されるように移動可能であるようにして設計される、請求項６に記載の反射型ランプ。
【請求項８】
前記カムトラックは、前記ピン部材が、前記スライダが拡張位置である第１のラッチ係合位置及び前記スライダが格納位置である第２のラッチ係合位置でラッチ係合されるように移動可能であるようにして設計され、前記カムトラックとラッチピンのアセンブリは、プランジャ長さが異なる２つ以上のプランジャと、対応する個数の前記キャッチの対とを含み、それぞれの前記キャッチの対は、前記スライダが前記格納位置である時に前記プランジャのそれぞれ１つを捕捉するように配置され、それによって前記プランジャに取り付けられた前記レンズ又は前記反射板と前記光源との間の前記軸方向間隔を変える、請求項３又は４に記載の反射型ランプ。
【請求項９】
前記プッシュ−プッシュ型調整アセンブリは、カムトラックとラッチトラックボールのアセンブリとして与えられ、
内側表面を有する前記フレームと、ここでカムトラックが前記フレームの前記内側表面に定められ、
前記フレーム内に摺動可能に配置されたスライダとして構成された前記アクチュエータと、ここで前記スライダは、横方向要素と、該横方向要素から下向きに延びたスタブとを備え、前記横方向要素に横方向のスロット穴が定められ、
トラックボールとして構成された前記プッシュ−プッシュ型ラッチ機構と、ここで前記トラックボールは、前記スライダの前記横方向のスロット穴によって移動可能に拘束され、前記スライダの前記横方向要素に対する押圧力の交互の印加及び除去に応答して、前記スライダに前記フレーム内の複数の静止位置の間を行き来させるために、移動して前記フレームの前記カムトラックに選択的に係合し、
前記スライダを前記押圧力とは反対方向に付勢するために前記スライダの前記スタブに作用する弾性部材と
を含む、請求項１に記載の反射型ランプ。
【請求項１０】
前記カムトラックは、所定の一方向経路に従って閉じた進路内で前記トラックボールの移動を案内するために、複数の異なる溝の深さを有する複数のトラック部分によって定められた前記閉じた進路を含む、請求項９に記載の反射型ランプ。
【請求項１１】
前記横方向のスロット穴に収容された前記トラックボールは、前記閉じた進路内を移動可能であり、複数のロック位置でラッチ係合され、前記複数のロック位置はそれぞれ、前記フレーム内での前記スライダの前記複数の静止位置に対応する、請求項１０に記載の反射型ランプ。
【請求項１２】
前記カムトラックは、前記トラックボールが、前記スライダが拡張位置である第１のラッチ係合位置及び前記スライダが格納位置である第２のラッチ係合位置でラッチ係合されるように移動可能であるようにして設計される、請求項１１に記載の反射型ランプ。
【請求項１３】
前記プッシュ−プッシュ型調整アセンブリは、カムトラックと枢動アームのアセンブリとして与えられ、
前記フレームと、ここでカムトラックが前記フレーム内に定められ、摺動斜面が前記カムトラックの上方に形成され、前記摺動斜面は、前記カムトラックで端面が終わる下端と、端面が前記カムトラックと繋がる上端とを有し、
前記フレーム内に摺動可能に配置されたスライダとして構成された前記アクチュエータと、ここで前記スライダは、横方向要素と、該横方向要素から下向きに延びたベースポストとを備え、前記ベースポスト内に長手方向のキャビティが定められ、
前記横方向要素に枢動可能に取り付けられた枢動端部とラッチ係合ピンが設けられた自由端とを有する枢動アームとして構成された前記プッシュ−プッシュ型ラッチ機構と、ここで前記枢動端部には、前記フレームを押して前記枢動アームが前記摺動斜面の前記上端にあるように付勢力を及ぼすばね部材が装填され、前記枢動アームは、前記ベースポストの前記キャビティに枢動可能に受けられ、前記スライダの前記横方向要素に対する押圧力の交互の印加及び除去に応答して、前記スライダに前記フレーム内の複数の静止位置の間を行き来させるために、枢動して前記フレームの前記カムトラックに選択的に係合し、
前記スライダを前記押圧力とは反対方向に付勢するために前記スライダの前記ベースポストに作用する弾性部材と
を含む、請求項１に記載の反射型ランプ。
【請求項１４】
前記枢動アームの前記自由端の前記ラッチ係合ピンは、前記フレームの前記摺動斜面に沿って摺動して前記カムトラックに落下して前記カムトラックと係合し、前記カムトラック内を移動して、前記枢動アーム及び前記スライダが複数のロック位置でラッチ係合されるようにし、前記複数のロック位置はそれぞれ、前記フレーム内での前記スライダの前記複数の静止位置に対応する、請求項１３に記載の反射型ランプ。
【請求項１５】
前記カムトラックは、前記枢動アームの前記ラッチ係合ピンが、前記スライダが格納位置となる第１のラッチ位置でラッチ係合されるように前記カムトラック内を移動可能であり、かつ前記スライダが拡張位置となる前記摺動斜面の前記上端にラッチ係合されるように移動可能であるように設計される、請求項１４に記載の反射型ランプ。
【請求項１６】
前記プッシュ−プッシュ型調整アセンブリの前記フレームが、前記反射板の底部、又は前記反射型ランプのヒートシンク若しくはハウジングの一部に固定される、請求項１〜１５のいずれか１つに記載の反射型ランプ。
【発明の詳細な説明】
【技術分野】
【０００１】
本発明は、概して照明設備の分野に属する。より具体的には、本発明は、光ビーム角、故に照明パターンの容易な調整を提供する、反射型ランプの光ビーム角を変更するためのプッシュ−プッシュ型調整アセンブリを備えた反射型ランプに関する。
【背景技術】
【０００２】
ＬＥＤ反射型ランプは、幅広い照明用途において益々一般的になっている。典型的には、ＬＥＤ反射型ランプは、ＬＥＤ光源、ヒートシンク、ドライバ電子機器、及びレンズ又は反射板の構成であり、最も重要なことには、レンズ又は反射板は、上記光源からの光を集めて、レンズ又は反射板が設計された照明ビーム角によって主として定められる照明パターンを形成するようにして光を向けるために使用されている。
【０００３】
現在のＬＥＤ反射型ランプは、スポットライト及び投光照明を含む。一般的に反射型ランプは、ビーム角に基づいて以下のように分類される。
スポットライト：４〜１９°
投光照明：２０〜３５°
広域投光照明：３６〜４９°
超広域投光照明：５０〜１２０°以上
【０００４】
専門的な用途では、例えば８°、２４°、３６°及び６０°に特定して設定されるために、ビーム角のより緻密な制御が必要とされる。
【０００５】
しかしながら、小売店又はパフォーマンスステージなどの多くの場合において、照明領域及びビーム角を変更することがしばしば必要とされる。例えば、ユーザの様々な用途の要求を満たすために、同一の反射型ランプでの異なるビーム角の全てのバリエーションの在庫を持つ必要があり、これは多量の在庫をもたらしてキャッシュフローに影響を及ぼす。他の場合では、ユーザが、異なる照明角度を有するランプを用いて照明パターンを変更したい時には、ユーザは現在のランプを交換するか、又はレンズ若しくは反射板キットを新たな交換品と替える必要があり、これは多大なコスト、時間及び労働を招く。
【０００６】
初期のステージ照明では、光源は主に白熱灯であり、スポットライトのためのビーム角は、固定式反射板カップに取り付けられた、光源の前にある２つ以上のレンズ間の相対距離を変化させることによって変更される。特許文献１は、２セットのレンズと、レンズアセンブリの側部に取り付けられた回転ダイヤルノブを用いた摺動ビーム角調整機構とを備えた設計を教示している。同様の設計は、ＬＥＤを光源として用いた特許文献２にも見られる。
【０００７】
この目的のためにトーチライトにおいて有用な別の設計は、ユーザがレンズアセンブリをその長手方向軸を中心に回転させることができる調整機構の利用である。それにより、レンズアセンブリ内部の溝がレンズアセンブリを光源から離れるように押すか、又はレンズアセンブリを光源に近づくように引き、したがってトーチライトの照明角度が調整される。これは、例えば特許文献３で教示されている。
【０００８】
照明ビーム角の変更をもたらすためのレンズアセンブリの使用とは別に、複数の反射板アセンブリの使用も、同様の効果をもたらすことができる。特許文献４は、３つの領域の反射板アセンブリでの直線状部分を拡張又は格納することによって、ＬＥＤ光ビーム角を変更する方法を教示している。
【０００９】
ビーム角をわずかに変更するいくつかの場合には、単一の反射板を、その焦点に対して反射板の中心軸に沿って、光源に向かって又は光源から離れるように移動させるだけでよい。レンズ（例えば、ＴＩＲ（内部全反射）レンズ又はフレネルレンズ）の位置を、ＬＥＤ光源の前でＬＥＤ光源に向かって及びＬＥＤ光源から離れるように、そのレンズの中心軸に沿って調整することによっても、同一の結果を得ることができる。
【００１０】
プッシュスイッチは機械分野でよく知られており、これは「プッシュで変更（ｐｕｓｈ‐ｔｏ‐ｃｈａｎｇｅ」の方法で複数の交互に起こる位置の間での反復運動のために取り付けられたアクチュエータを備える。例えば、特許文献５は「オルタネイト動作スイッチ（ａｌｔｅｒｎａｔｅ  ａｃｔｉｏｎ  ｓｗｉｔｃｈ）」を記載している。プッシュスイッチの変形は、特許文献６に記載された「プッシュラッチ」として設計されている。
【００１１】
ビーム角が可変である光ビームを生成するために、反射型ランプを手軽に調整することについての必要性がある。
【先行技術文献】
【特許文献】
【００１２】
【特許文献１】米国特許第６０９２９１４号
【特許文献２】米国特許出願公開第２０１２／０２８７６２１号
【特許文献３】米国特許第７２６１４３８号
【特許文献４】米国特許出願公開第２０１０／０１４９８２０号
【特許文献５】米国特許第４００１５２６号
【特許文献６】米国特許第５９８４３８１号
【発明の概要】
【発明が解決しようとする課題】
【００１３】
本発明の目的は、光ビームのビーム角を変更するための調整機構を備えた新たな反射型ランプを提供することである。その調整機構は、ユーザが所望のビーム角を選択するために単にそのランプの前部を押すようにして構成される。高い設置位置では、ユーザは梯子を昇る代わりに、長い棒を使用してそのランプを押すことができ、これは時間と労働を省くという利点を有する。
【課題を解決するための手段】
【００１４】
上述の目的は、
光ビームを生成するための光源と、
キャビティを定める内側反射面及び内側反射面の縁部によって形成された開口を有する反射板と、ここで光源はキャビティ内に配置され、
光源と同軸に配置されかつ光源から離されたレンズと
を含む反射型ランプであって、その反射型ランプは、押すことで光ビームのビーム角を変更するためのプッシュ−プッシュ型調整アセンブリを更に含み、このプッシュ−プッシュ型調整アセンブリは、
ランプに固定して結合されたフレームと、
レンズ又は反射板に作用可能に接続されたアクチュエータと、ここでこのアクチュエータは、アクチュエータの移動によりレンズ又は反射板を光源に対して摺動させることができるようにしてフレーム内に移動可能に配置され、それによりレンズ又は反射板と光源の間に可変の軸方向間隔を提供し、
フレーム内でアクチュエータを移動させてラッチ係合するために、アクチュエータ及び／又はフレームに結合されたプッシュ−プッシュ型ラッチ機構と
を含むことを特徴とする反射型ランプを提供することによって達成されることができる。
【００１５】
本発明の好ましい一実施形態では、プッシュ−プッシュ型調整アセンブリは、カムトラックとラッチピンのアセンブリとして与えられることができ、
フレームと、
フレーム内に摺動可能に配置されたスライダとして構成されたアクチュエータと、ここでスライダにカムトラックが定められ、アクチュエータは、好ましくはレンズ又は反射板に結合され、
ピン部材として構成されたプッシュ−プッシュ型ラッチ機構と、ここでピン部材は、フレームに接続された第１の端部と、第２の端部とを有し、第２の端部は、スライダに対する押圧力の交互の印加及び除去に応答して、スライダにフレーム内の複数の静止位置の間を行き来させるためにスライダのカムトラックに選択的に係合可能であり、
スライダを押圧力とは反対方向に付勢するためにスライダに作用する弾性部材と
を含む。
【００１６】
好ましくは、カムトラックは、所定の一方向経路に従って閉じた進路内でピン部材の移動を案内するために、複数の異なる溝の深さを有する複数のトラック部分によって定められた閉じた進路を含む。ピン部材は閉じた進路を辿り、移動して複数のロック位置でラッチ係合され、そして複数のロック位置はそれぞれ、フレーム内でのスライダの複数の静止位置に対応する。
【００１７】
本発明の特定の実施形態では、カムトラックとラッチピンのアセンブリは、スライダの上方に配置された少なくとも１つのプランジャと、プランジャの個数に対応した個数である少なくとも１つの対向した枢動キャッチの対とを更に含み、枢動キャッチの対は、フレームのストッパピンの対での拘束によりスライダに回転可能に配置され、プランジャに対する押圧力の交互の印加及び除去に応答して、枢動キャッチの対が閉じてプランジャを捕捉し、開いてプランジャを解放する。より長い移動距離をプランジャに与えるために、プランジャは、ランプに固定されたハウジングと、ハウジングに取り付けられたスプリングバレル（ｓｐｒｉｎｇ  ｂａｒｒｅｌ）と、スプリングバレルに収容されたばね部材とを含み、プランジャの第１の部分は、スプリングバレルを越えて突出して頂部ボタンを有しかつばね部材の一端において終わり、プランジャの第２の部分は、スプリングバレルの外に延びて枢動キャッチの対によって捕捉可能である。
【００１８】
一部の場合では、カムトラックとラッチピンのアセンブリは、プランジャ長さが異なる２つ以上のプランジャと、対応するカムトラックとラッチピンのアセンブリに取り付けられた対応する個数のキャッチの対とを備え、各キャッチの対は、プランジャのそれぞれ１つを捕捉するように配置されることができ、それによってプランジャに取り付けられたレンズ又は反射板と光源の間での３つ以上の軸方向間隔の選択が可能となる。
【００１９】
本発明の更なる好ましい実施形態では、プッシュ−プッシュ型調整アセンブリは、カムトラックとラッチトラックボールのアセンブリとして与えられることができ、
内側表面を有するフレームと、ここでカムトラックがフレームの内側表面に定められ、
フレーム内に摺動可能に配置されたスライダとして構成されたアクチュエータと、ここでスライダは、横方向要素と、横方向要素から下向きに延びたスタブとを備え、横方向要素に横方向のスロット穴が定められ、アクチュエータは、好ましくはレンズ又は反射板に結合され、
トラックボールとして構成されたプッシュ−プッシュ型ラッチ機構と、ここでトラックボールは、スライダの横方向のスロット穴内に移動可能に収容され、スライダの横方向要素に対する押圧力の交互の印加及び除去に応答して、スライダにフレーム内の複数の静止位置の間を行き来させるために、移動してフレームのカムトラックに選択的に係合し、
スライダを押圧力とは反対方向に付勢するためにスライダのスタブに作用する弾性部材と
を含む。
【００２０】
同様にして、上記の更なる好ましい実施形態のカムトラックは、所定の一方向経路に従って閉じた進路内でトラックボールの移動を案内するために、複数の異なる溝の深さを有する複数のトラック部分によって定められた閉じた進路を含む。横方向のスロット穴によって拘束されたトラックボールは、閉じた進路内を移動可能であり、複数のロック位置でラッチ係合され、そして複数のロック位置はそれぞれ、フレーム内でのスライダの複数の静止位置に対応する。
【００２１】
本発明の更に好ましい実施形態では、プッシュ−プッシュ型調整アセンブリは、カムトラックと枢動アームのアセンブリとして与えられることができ、
フレームと、ここでカムトラックはフレーム内に定められ、摺動斜面がカムトラックの上方に形成され、摺動斜面は、カムトラックで端面が終わる下端と、端面がカムトラックと繋がる上端とを有し、
フレーム内に摺動可能に配置されたスライダとして構成されたアクチュエータと、ここでスライダは、横方向要素と、横方向要素から下向きに延びたベースポストとを備え、ベースポスト内に長手方向のキャビティが定められ、アクチュエータは、好ましくはレンズ又は反射板に結合され、
横方向要素に枢動可能に取り付けられた枢動端部と、ラッチ係合ピンが設けられた自由端とを有する枢動アームとして構成されたプッシュ−プッシュ型ラッチ機構と、ここで枢動端部には、枢動アームがフレームの摺動斜面の上端にあるように付勢力を及ぼすばね部材が装填され、枢動アームは、ベースポストのキャビティに枢動可能に受けられ、スライダの横方向要素に対する押圧力の交互の印加及び除去に応答して、スライダにフレーム内の複数の静止位置の間を行き来させるために、枢動してフレームのカムトラックに選択的に係合し、
スライダを押圧力とは反対方向に付勢するためにスライダのベースポストに作用する弾性部材と
を含む。
【００２２】
好ましくは、枢動アームの自由端のラッチ係合ピンは、フレームの摺動斜面に沿って移動してカムトラック内に落下し、複数のロック位置にラッチ係合されるように移動してカムトラックと係合し、そして複数のロック位置はそれぞれ、フレーム内でのスライダの複数の静止位置に対応する。この更なる実施形態のカムトラックは、枢動アームの自由端のラッチ係合ピンが、スライダが格納位置となるラッチ位置でラッチ係合されるようにカムトラック内を移動可能であり、そしてスライダが拡張位置となる摺動斜面の上端にラッチ係合されるように移動可能であるように設計される。
【００２３】
本発明に従って、プッシュ−プッシュ型調整アセンブリのフレームが、反射板の底部、又は反射型ランプのヒートシンクの一部に固定されてもよい。
【００２４】
本発明の反射型ランプは、光源の前方に配置された反射板又はレンズに結合された特別なプッシュ−プッシュ型調整アセンブリを含む。反射型ランプの前方のレンズ又は反射板に押圧力を直接的又は間接的に加えることにより、レンズ又は反射板と光源の相対位置を変えてラッチ係合することができる。その結果、反射型ランプから得られる光ビームのビーム角は変更される。レンズ又は反射板がもう一度ランプ本体に向かって押されると、ビーム角は例えば以前のビーム角に戻る。
【００２５】
本発明の目的、特徴、利点及び技術的効果を、添付の図面を参照して、本発明の概念及び構造についての以下の説明において更に詳述する。
【図面の簡単な説明】
【００２６】
【図１】図１Ａ及び１Ｂは、従来技術で利用可能である、反射型ランプの軸方向中心線に沿って光源の前方でレンズを移動させることによる光ビーム角の制御を示し、光源及び反射板の位置は動かずに固定される。
【図２】図２Ａ及び２Ｂは、従来技術で利用可能である、反射型ランプの光源の軸方向中心線に沿って反射板カップを移動させることによる光ビーム角の制御を示し、光源の位置は動かずに固定される。
【図３】従来技術で利用可能である、反射型ランプの光ビーム角を変更する種々の方法でレンズ及び／又は反射板カップを調整することによる光ビーム角の制御を示す。
【図４】本発明による光源に対するレンズの再配置のために押圧力を加えることを示す概略図である。
【図５Ａ−５Ｂ】本発明の第１の実施形態により構成されたＬＥＤ反射型ランプにおいて有用であるプッシュ−プッシュ型調整アセンブリを示し、プッシュ−プッシュ型調整アセンブリはそれぞれ拡張位置及び格納位置にある。
【図５Ｃ−５Ｄ】図５Ａ及び５Ｂに示されるプッシュ−プッシュ型調整アセンブリのカムトラックの拡大概略図である。
【図５Ｅ−５Ｊ】図５Ａ〜５Ｄに示されるプッシュ−プッシュ型調整アセンブリのスライダの、拡張位置と格納位置の間での移動を示す概略図である。
【図６Ａ−６Ｂ】本発明の第２の実施形態により構成されたＬＥＤ反射型ランプにおいて有用であるプッシュ−プッシュ型調整アセンブリを示し、プッシュ−プッシュ型調整アセンブリはそれぞれ拡張位置及び格納位置にある。
【図６Ｃ−６Ｄ】図６Ａ及び６Ｂに示されるプッシュ−プッシュ型調整アセンブリの変形を示す。
【図６Ｅ】図６Ａ及び６Ｂに示されるプッシュ−プッシュ型調整アセンブリの別の変形を示す。
【図７Ａ】本発明の第３の実施形態により構成されたＬＥＤ反射型ランプにおいて有用であるプッシュ−プッシュ型調整アセンブリの正面図である。
【図７Ｂ】図７Ａに示されるＡ−Ａ線に沿った断面図である。
【図７Ｃ−７Ｄ】図７Ａに示されるプッシュ−プッシュ型調整アセンブリの斜視図であり、背部のハウジング部材は除去され、スライダはそれぞれ拡張位置及び格納位置に静止している。
【図７Ｅ】図７Ａに示されるプッシュ−プッシュ型調整アセンブリの斜視図であり、背部のハウジング部材及びスライダは除去されている。
【図７Ｆ−７Ｌ】拡張位置と格納位置の間を移動する、図７Ａ〜７Ｅに示されるプッシュ−プッシュ型調整アセンブリのスライダの動きを示す概略図である。
【図８Ａ】本発明の第４の実施形態により構成されたＬＥＤ反射型ランプにおいて有用であるプッシュ−プッシュ型調整アセンブリの正面図である。
【図８Ｂ】図８Ａに示されるプッシュ−プッシュ型調整アセンブリの展開斜視図である。
【図８Ｃ】図８Ｂに示されるＢ−Ｂ線に沿った斜視図である。
【図８Ｄ−８Ｊ】図８Ａ〜８Ｃに示されるプッシュ−プッシュ型調整アセンブリのスライダの、拡張位置と格納位置の間での移動を示す概略図である。
【図９】図９Ａ及び９Ｂは、本発明の好ましい一実施形態により構成された例示のＬＥＤ反射型ランプの、レンズがそれぞれ拡張位置及び格納位置にある状態での斜視図である。
【図１０】図９Ａ及び９Ｂに示される反射型ランプの展開斜視図である。
【図１１】図１１Ａ及び図１１Ｂは、それぞれ拡張位置及び格納位置にあるプッシュ−プッシュ型調整アセンブリに結合された、ヒートシンクと反射板のアセンブリの底面斜視図である。
【図１２】反射板とプッシュ−プッシュ型調整アセンブリの結合を示す正面図である。
【図１３】図１３Ａ及び１３Ｂは、図９Ａ及び９Ｂに示される反射型ランプの断面図である。
【発明を実施するための形態】
【００２７】
本発明を好ましい実施形態で図示及び説明するが、プッシュ−プッシュ型調整アセンブリを備えた反射型ランプは、多くの異なる構成、サイズ、形態及び材料で製造されることができる。
【００２８】
ここで図面を参照すると、図１Ａ〜３は、反射型ランプの光ビーム角を変更するための、当該技術分野で知られた異なる方法を示し、これらは照明領域内の標的上で得られる光点のサイズが変化するという結果をもたらす。
【００２９】
図１Ａは、光源１１と、反射板カップ１２と、反射板カップ１２の軸方向中心線１３に沿って狭いビーム角位置（Ｉ）に設置された収束レンズ１４とを備えた反射型ランプ１０を示す。そのランプによって標的上に投射された光点のサイズは、図１ＢにおいてＩとして示される。レンズを軸方向中心線１３に沿って光源に向かって、広いビーム角位置（ＩＩ）に移動させると、同一の標的上の光点サイズを増大させることができる（図１ＢのＩＩ）。反射板カップ１２及び光源１１の位置は、動かずに固定されたままである。
【００３０】
同様に、図２Ａは、光源２１及び反射板カップ２２を備えた反射型ランプ２０を示す。反射板カップ２２が狭いビーム角位置（Ｉ）にある時、そのランプによって標的上に投射された光点のサイズは、図２ＢにおいてＩとして示される。反射板カップ２２を軸方向中心線２３に沿って光源２１に向かって、広いビーム角位置（ＩＩ）に移動させると、同一の標的上の光点サイズを増大させることができる。光源２１の位置は、動かずに固定されたままである。
【００３１】
ランプの照明ビーム角を調整するために、光源に対するレンズ又は反射板の相対位置の変化をもたらす種々の方法が従来技術において提案されている。図３は、反射板カップ３２及びノブ３４を備えた反射型ランプ３０を示す。光源（図示せず）は、反射板の内側に固定される。ビーム角を調整する一般的な方法は、
I）ランプのノブ３４を、ランプの前方及び後方に摺動させるステップ、
II）ノブ３４を時計回り又は反時計回り３５に回すステップ、及び
III）レンズ又は反射板３２を、レンズの中心軸３３を中心に回転方法３６で回すステップ
を含む。
【００３２】
本発明は、反射型ランプのビーム角を変更する新たな方法を提供する。図４は、レンズを光源に対して再配置するための本発明の概念を示す。特に、その反射型ランプは、反射板カップ４２と、上記ランプの内側に固定された光源（図示せず）と、レンズアセンブリ４４とを備える。図示されるように、レンズアセンブリ４４は、最初は第１の位置（又は拡張位置）４５にセットされる。押圧力Ｆを加えることにより、レンズアセンブリ４４は第２の（又は格納）位置４６で自動的にラッチ係合されて、反射型ランプの異なるビーム角を提供することができる。レンズアセンブリ４４を再び押すと、レンズアセンブリ４４は戻って第１の位置４５でラッチ係合されることができ、最初のビーム角に戻る。
【００３３】
図５Ａ〜５Ｊは、本発明の第１の好ましい実施形態により構成されたプッシュ−プッシュ型調整アセンブリ１００を与える。図５Ａに示されるようにこの実施形態では、プッシュ−プッシュ型調整アセンブリ１００は、フレーム１０１と、フレーム１０１内に摺動可能に配置されたスライダ１０２とを含む。スライダ１０２は、レシプロエンジンの内部を移動するピストンと同様の方法で、フレーム１０１に対して直線的に摺動する。弾性部材１０４はスライダ１０２に作用して、スライダ１０２を外向きに拡張位置へ付勢する。弾性部材１０４は、圧縮コイルばねであってもよい。
【００３４】
カムトラック１０５はスライダ１０２に定められて、調整アセンブリ１００の操作の異なる複数の段階でスライダ１０２を正確なプリセット位置に保持する。ピン部材１０３は、フレーム１０１の閉鎖端部の適切な位置に固定された第１の端部と、第２の端部（「摺動端部」とも呼ばれる）とを有し、第２の端部は、カムトラック１０５での閉じた進路１０６に摺動可能かつ選択可能に係合し、スライダ１０２の外側端面に対する押圧力の交互の印加及び除去に応答して、スライダ１０２に格納位置と拡張位置の間を行き来させる（これについては本明細書において以下で詳述される）。ピン部材１０３は、線状のばねタイプの材料で作られてもよく、ピン部材１０３の摺動端部（即ち、第２の端部）が常に押し下げられてカムトラック１０５の閉じた進路１０６内に留まるように、ピン部材１０３の真ん中付近の部分が下方向に押し付けられる。
【００３５】
カムトラック１０５はハート型であり、カムトラック１０５の閉じた進路１０６は、ピン部材１０３の摺動端部を反時計回りに案内するために、溝の深さが互いに異なる、異なる複数のトラック部分によって形成される。図５Ｄに最もよく示されるように、カムトラック１０５は上り斜面１０５０、１０５１及び１０５２を含み、それに下り段差壁１０５３、１０５４及び１０５５が続く。カムトラックの残りの部分は平滑である。
【００３６】
調整アセンブリ１００の作動を、図５Ｅ〜５Ｊを参照して説明する。図５Ｅは、スライダ１０２が拡張位置となる第１のラッチ係合位置１０５ａにあるピン部材１０３を示す。ユーザがスライダ１０２の外側端面に押圧力を加えて、内向きに移動するようにスライダを押すと、ピン部材１０３の摺動端部はその第１のラッチ係合位置１０５ａを離れてカムトラック１０５に沿って移動し（図５Ｆ）、第１の端部位置１０５ｂに至り（図５Ｇ）、ユーザがスライダをそれ以上押すことができない位置で停止し、そして押圧力が除去される。するとスライダ１０２は、弾性部材１０４の反発によってフレーム１０１の外へ戻り、カムトラック１０５はピン部材１０３の摺動端部を第２の係合位置１０５ｃに案内し、ここで自動的に停止する（図５Ｈ）。第２のラッチ係合位置１０５ｃは、スライダ１０２の格納位置に対応する。
【００３７】
スライダ１０２は、ピン部材１０３の第１及び第２のラッチ係合位置１０５ａ、１０５ｃの間の距離に等しい距離「Ｄ」を移動している。本発明では、スライダ１０２は、反射型ランプのレンズ又は反射板を末端に備え、その反射型ランプは、スライダ１０２の拡張位置及び格納位置での２つのプリセットビーム角の設定を提供することができる。
【００３８】
ユーザがスライダ１０２を格納位置（図５Ｈ）から拡張位置（図５Ｅ及び５Ｊ）に再設定したい場合、ユーザは、フレーム１０１に向かってスライダ１０２に押圧力を加えることによりスライダ１０２を押すだけでよい。カムトラック１０５はピン部材１０３の摺動端部を第２の端部位置１０５ｄ（図５Ｉ）へと案内する。ユーザがスライダをそれ以上押せないと感じると、押圧力は除去される。するとスライダ１０２は、弾性部材１０４の反発によってフレーム１０１の外へ戻り、カムトラック１０５はピン部材１０３の摺動端部を第１の係合位置１０５ａに案内して、自動的に停止する（図５Ｊ）。スライダ１０２は拡張位置に戻る。
【００３９】
上述のように、カムトラック１０５は上り斜面１０５０、１０５１及び１０５２を備え、それに下り段差壁１０５３、１０５４及び１０５５が続き、それはピン部材１０３を一方向に移動するように案内する。拡張位置（図５Ｅ）のスライダ１０２が押されると、ピン部材１０３の摺動端部は、第１のラッチ係合位置１０５ａから反時計回りに斜面１０５１へと移動し、次に段差壁１０５４で突然落下し、第１の端部位置１０５ｂ（図５Ｇ）で停止する。ユーザが押圧力を除いても、ピン部材１０３の摺動端部は段差壁１０５４により抑制されているために第１のラッチ係合位置１０５ａに戻ることはできず、スライダ１０２が格納位置となる第２のラッチ係合位置１０５ｃ（図５Ｈ）に進むことだけができる。第２のラッチ係合位置１０５ｃはピン部材１０３に対して中心がずれているため、ピン部材１０３を斜面１０５２に向かわせるピン部材１０３への付勢力が存在する。ユーザが再びスライダ１０２を押して、スライダ１０２を格納位置から解放すると、ピン部材１０３の摺動端部は第２のラッチ係合位置１０５ｃを離れ、斜面１０５２を摺動して登り、第２の端部位置１０５ｄ（図５Ｉ）に向かって段差壁１０５５で落下する。ユーザが押圧力を除くと、ピン部材１０３の摺動端部は反時計回りに摺動して段差壁１０５５を避け、第２のラッチ係合位置１０５ｃへ戻らず、弾性部材１０４はスライダ１０２をフレーム１０１の外へ付勢してピン部材１０３の摺動端部は最終的に斜面１０５０を登り、段差壁１０５３で落下して第１のラッチ係合位置１０５ａ（図５Ｊ）に到達する。この一方向の移動により、カムトラックの異なる部分の等しい摩耗が確保されて、この構成部品の寿命の延長がもたらされる。
【００４０】
図６Ａ及び６Ｂは、上述の第１の実施形態で説明されたプッシュ−プッシュ型調整アセンブリ１００の変形である、本発明の第２の実施形態により構成されたプッシュ−プッシュ型調整アセンブリ２００を示す。この実施形態のプッシュ−プッシュ型調整アセンブリ２００は、上述の第１の実施形態で示されたものと類似し、開放端部及び閉鎖端部を有するフレーム２０１と、フレーム２０１内に摺動可能に配置されたスライダ２０２と、フレーム２０１内に配置されたピン部材２０３と、スライダ２０２に作用してスライダ２０２を外向きに付勢する弾性部材２０４とを備え、ピン部材２０３は、フレームの閉鎖端部に固定される固定端部と、カムトラック２０５と係合される摺動端部とを有する。
【００４１】
プッシュ−プッシュ型調整アセンブリ２００は更に、スライダ２０２の上方に配置されたプランジャ２０７と、一対の対向した枢動キャッチ２０８とを備え、対向する一対の枢動キャッチ２０８は、スライダ２０２の拡張位置において開き、スライダ２０２の格納位置において閉じるようにして、スライダ２０２の上部に回転可能に配置される。枢動キャッチ２０８は、フレーム２０１に対するスライダ２０２の相対的な移動に応じて開放及び閉鎖するようにして、スライダ２０２に回転可能に配置されてもよい。枢動キャッチ２０８は、プランジャ２０７を押して下方に移動させた時に（図６Ｂ）、プランジャ２０７を選択的に捕捉することができる。
【００４２】
スライダ２０２が、ピン部材２０３が第１のラッチ係合位置でラッチ係合される拡張位置にある場合（図６Ａ）、キャッチ２０８は開放位置となる。スライダ２０２の頂部をプランジャ２０７で押し下げると、ピン部材２０３の摺動端部は上方に摺動して、図６Ｂに示されるようにスライダ２０２が格納位置となる第２のラッチ係合位置でラッチ係合され、キャッチ２０８は２つのストッパピン２１５によって拘束されて自動的に閉じられ、プランジャ２０７の下端を把持して、プランジャ２０７がラッチ係合したキャッチ２０８から引き抜かれるのを防止する。プランジャ２０７に下向きの押圧力を加えることにより、スライダ２０２が拡張位置に戻ることでプランジャ２０７をキャッチ２０８から外すことができ、それによってキャッチ２０８を開いて、プランジャ２０７を解放する。本発明では、プランジャ２０７は反射型ランプのレンズ又は反射板を末端に備え、反射型ランプは、プランジャ２０７の拡張位置及び格納位置での２つのプリセットビーム角の設定を提供することができる。
【００４３】
図６Ｃ及び６Ｄに、図６Ａ及び６Ｂに示されたプッシュ−プッシュ型調整アセンブリの変形が示される。この実施形態のプッシュ−プッシュ型調整アセンブリは、ハウジング２１０と、ハウジング２０１を貫通するスプリングバレル（ばね用筒）２１１と、スプリングバレル２１１の内側に設置されたコイルばね２０９とを備えるより複雑なプランジャ２０７を除いて、図６Ａ及び６Ｂに示されたプッシュ−プッシュ型調整アセンブリ２００と構造的に同一である。プランジャ２０７はコイルばね２０９を通り抜け、頂部ボタン２０７ｃとストッパ２０７ｄとを特徴とする長い上側プランジャ部分２０７ａを備える。ストッパ２０７ｄはコイルばね２０９の上端に載り、スプリングバレル２１１の上端によって拘束される。コイルばね２０９の下端は、スプリングバレル２１１の反対の端を圧迫する。プランジャ２０７は更に、スプリングバレル２１１の外側に突出するプランジャスタッド２０７ｂを末端とする下側プランジャ部分を備える。ボタン２０７ｃで押圧力がプランジャ２０７に加えられると、ストッパ２０７ｄはコイルばね２０９を圧縮し、それによってプランジャスタッド２０７ｂをラッチ方向に延ばし、キャッチ２０８が閉じてプランジャスタッド２０７ｂをクランプするまでプッシュ−プッシュ型調整アセンブリ２００のラッチ機構を作動させる。押圧力を除くと、コイルばね２０９が戻ってプランジャ２０７を引き上げる。するとプランジャスタッド２０７ｂは、キャッチ２０８によってしっかりと捕捉される。この変形は、主にプランジャ２０７及びコイルばね２０９の長さに応じたより長い移動距離を、プランジャ２０７のボタン２０７ｃに与えることができる。従って、反射型ランプのレンズ又は反射板と光源の調整間隔を増大して、ビーム角の変動の効果を高めるために、本発明において利用される。
【００４４】
ばねが装填された２つのプランジャのペアを用いることにより、反射型ランプのレンズ又は反射板に取り付けられたスライダ２０２について、３つの異なるラッチ係合位置により２つの異なる移動距離をもたらして、３つのビーム角の設定を提供することができる。図６Ｃ及び６Ｄに示されたプランジャと本質的に同一の構造を有する、ばねが装填された異なる長さを有するプランジャ２０７Ａ及び２０７Ｂのペアでの拡張／格納状態の種々の組み合わせが、図６Ｅに簡略化された形態で図示される。プランジャ２０７Ａ及び２０７Ｂの両方が、コイルばねが完全に弛緩した拡張位置にある場合、２つのプランジャ２０７Ａ及び２０７Ｂの上端（即ちボタン２０７ｃ）は、同一の高さＩにあり、ビーム角作用の初期状態を与える。長いプランジャ２０７Ｂを押し込んでキャッチ２０８で捕捉すると、短い移動距離Ｌ１が実行され、プランジャ２０７Ｂは高さＩＩまで下がり、そしてその初期状態からの光ビーム角のわずかな変化をもたらす。短いプランジャ２０７Ａも押し込まれてキャッチで捕捉され、そのためプランジャ２０７Ａ及び２０７Ｂの両方がラッチ係合されたならば、長い移動距離Ｌ２が実行されて、短いプランジャ２０７Ａは高さＩＩＩまで下がる。本発明では、このプッシュ−プッシュ型調整アセンブリの２つのプランジャ２０７Ａ及び２０７Ｂを、これらレンズ又は反射板の両側において反射型ランプのレンズ又は反射板に結合し、次にレンズ又は反射板を３つの高さＩ、ＩＩ及びＩＩＩの３つの異なるラッチ係合位置へ運んで、３つの異なるビーム角で光を分配することができる。より多くのビーム角を実現するために、本発明に従って長さが異なる３つ以上のプランジャも可能であることが理解される。例えば、長さが異なる４つのプランジャを設置することによって、５つの異なるビーム角の設定を得ることができる。
【００４５】
次に図７Ａ〜７Ｌを参照すると、本発明の第３の好ましい実施形態により構成されたプッシュ−プッシュ型調整アセンブリ３００が図示される。この実施形態では、プッシュ−プッシュ型調整アセンブリ３００は、前方フレーム部材３０１ａ及び後方フレーム部材３０１ｂによって定められるフレームと、そのフレーム内において前方フレーム部材３１０ａと後方フレーム部材３０１ｂの間に摺動可能に配置されたスライダ３０２とを含む。スライダ３０２は、横方向要素３０２２と、横方向要素３０２２から延びた下部スタブ３０２１とを含む。下部スタブ３０２１には弾性部材３０４が装填され、それによりスライダ３０２は弾性部材３０４によって拡張位置へ上向きに付勢される。スライダ３０２は、フレームに対して直線的に摺動する。弾性部材３０４は、圧縮コイルばねであってもよい。
【００４６】
図７Ｃ〜７Ｅに示されるように、カムトラック３０５は前方フレーム部材３０１ａに定められて、スライダ３０２を前方フレーム部材３０１ａの異なる直線状の静止位置で静止するように保持する。カムトラック３０５は閉じた進路３０６を定め、ストッパ３０７がカムトラック３０５内に形成される。スライダ３０２の横方向要素３０２２は、トラックボール３０３を移動可能に拘束するための横方向のスロット穴３０２３を備えて形成され、トラックボール３０３は、外部押圧力がスライダ３０２に加えられた時に、スロット穴３０２３に沿って自由に移動することができる。トラックボールは、プラスチック、鋼鉄又は他の材料で作られることができる。トラックボール３０３は、所定の位置に設置された後でカムトラック３０５と係合する大きさにされる。スロット穴３０２３の長さは、カムトラック３０５の最大幅と同一か又はこれよりわずかに大きくし得る。
【００４７】
図７Ｃは、トラックボール３０３が第１のラッチ係合位置３０５ｄで静止しており、そこではスライダ３０２が拡張位置でラッチ係合されていることを図示する。スライダ３０２は押圧力によってフレームに向かって押し込まれ、トラックボール３０３はスライダ３０２を下向きに移動して拡張位置を離れてその格納位置に到達するように案内する。プッシュ−プッシュ型調整アセンブリ３００の作動について、図７Ｆ〜７Ｌを参照して説明する。
【００４８】
図７Ｆは、第１のラッチ係合位置３０５ｄにあるトラックボール３０３を示し、そこではスライダ３０２は拡張位置にある（図７Ｃにも示される）。ユーザがスライダ３０２の外側端部に押圧力を加えて、スライダが下向きに移動するように押すと、トラックボール３０３はスライダ３０２を、その第１のラッチ係合位置３０５ｄを離れてカムトラック３０５に沿って第１の端部位置３０５ｅ（図７Ｇ）まで移動して停止するように案内し、そこではユーザはスライダをそれ以上押すことができず、押圧力が除去される。するとスライダ３０２は、弾性部材３０４の反発によって駆動されて第２のラッチ係合位置３０５ａに到達し、第２のラッチ係合位置３０５ａのすぐ上のストッパ３０７によって停止される（図７Ｈ）。第２のラッチ係合位置３０５ａは、スライダ３０２の格納位置に対応する。
【００４９】
スライダ３０２は、トラックボール３０３の第１及び第２のラッチ係合位置３０５ａ、３０５ｄの間の距離に等しい距離を移動している。スライダ３０２が反射型ランプのレンズ又は反射板を末端に備えているならば、反射型ランプは、スライダ３０２の拡張位置及び格納位置での２つのプリセットビーム角の設定を提供することができる。
【００５０】
ユーザがスライダ３０２を格納位置（図７Ｈ）から拡張位置（図７Ｆ及び７Ｌ）に再設定したい場合、ユーザは、フレームに向かってスライダ３０２に押圧力を加えることによって、スライダ３０２を押すだけでよい。カムトラック３０５はトラックボール３０３を、第２のラッチ係合位置３０５ａを離れて第２の端部位置３０５ｂ（図７Ｊ）で停止するように案内する。ユーザがスライダをそれ以上押せないと感じると、押圧力は除去される。するとスライダ３０２は、弾性部材３０４の反発によって駆動されて位置３０５ｃ（図７Ｋ）まで移動し、その後に第１のラッチ係合位置３０５ｄ（図７Ｌ）に戻り、そこではスライダ３０２は拡張位置に戻る。
【００５１】
上述の第１の実施形態のカムトラック１０５と同様に、カムトラック３０５の閉じた進路３０６は、トラックボール３０３を一方向に移動するように案内するために、溝の深さが互いに異なる、異なる複数のトラック部分によって形成されてもよい。これに関して、カムトラック３０５は、同様の上り斜面とそれに続く下り段差壁とを備えることができるが、これについてはここでは詳述しない。
【００５２】
図８Ａ〜８Ｊは、本発明の第４の好ましい実施形態により構成されたプッシュ−プッシュ型調整アセンブリ４００を示す。この実施形態では、プッシュ−プッシュ型調整アセンブリ４００は、立方体状のフレーム４０１と、フレーム４０１内に摺動可能に配置されたスライダ４０２とを含む。スライダ４０２は、横方向要素４０８と、横方向要素４０８から延びたベースポスト４０７とを含む。ベースポストは、これを貫通する長手方向のキャビティ４０９を備えて形成される。ベースポスト４０７には弾性部材４０４が装填され、それによりスライダ４０２は弾性部材４０４によって拡張位置へ上向きに付勢される。スライダ４０２は、フレーム４０１に対して直線的に摺動する。弾性部材４０４は、圧縮コイルばねであってもよい。
【００５３】
枢動アーム４０３は、その枢動端部４１０でスライダの４０２の横方向要素４０８に枢動可能に取り付けられる。枢動アーム４０３は、ラッチ係合ピン４１３が設けられた自由端４１２を有する。枢動アーム４０３は、スライダ４０２のベースポスト４０７のキャビティ４０９において枢動可能に受けられる。図８Ｂ及び８Ｃに最もよく示されるように、カムトラック４０５はフレーム４０１の１つの垂直側部に定められて、スライダ４０２を保持する。摺動斜面４０６はカムトラック４０５の上方に形成され、カムトラック４０５の一端で端面が終わる下端４０６ａと、端面がカムトラック４０５の他端と繋がる上端４０６ｂとを有する。枢動アーム４０３の枢動端部４１０には付勢力を及ぼすばね４１１が装填され、それにより枢動アーム４０３は、フレームの摺動斜面４０６の上端４０６ｂにあるようになっている。ばねが装填された枢動端部４１０はまた、枢動アーム４０３、特にラッチ係合ピン４１３をその上のフレームに向けて押して、フレームに押し付ける。枢動アーム４０３は、ラッチ係合ピン４１３を動かすためにキャビティ４０９において枢動し、フレームに向けてのスライダ４０２の横方向要素に対する押圧力の印加又は除去に応答してカムトラック４０５又は摺動斜面４０６に選択的に係合して、スライダ４０１を静止させる。
【００５４】
図８Ｄは、ラッチ係合ピン４１３が第１のラッチ係合位置４０６ｂで静止しており、そこではスライダ４０２が拡張位置でラッチ係合されていることを図示する。スライダ４０２は押圧力によって押し込まれ、枢動アーム４０３は下方に枢動して拡張位置を離れ、その格納位置（図８Ｇ）に到達する。調整アセンブリ４００の作動について、図８Ｄ〜８Ｊを参照して説明する。
【００５５】
図８Ｄは、第１のラッチ係合位置４０６ｂにあるラッチ係合ピン４１３を示し、そこではスライダ４０２は拡張位置にある。ユーザがスライダ４０２の横方向要素４０８に押圧力を加えると、枢動アーム４０３はラッチ係合ピン４１３によって、その第１のラッチ係合位置４０６ｂを離れるよう案内され、摺動斜面４０６に沿って、カムトラック４０５で終わる摺動斜面４０６の下端４０６ａ（図８Ｅ）に向かって移動する。それにより、枢動アーム４０３は摺動斜面４０６の下端４０６ａから外れてカムトラック４０５と係合して、カムトラック４０５の第１の端部位置（図８Ｆ）で停止し、そこではユーザは横方向要素４０８をそれ以上押すことができず、押圧力が除去される。するとラッチ係合アーム４０３は、弾性部材４０４の反発によって駆動されて第２のラッチ係合位置に到達して、ラッチ係合ピン４１３がカムトラック４０５の上側壁でのストッパ機能部分と係合するために停止する（図８Ｇ）。第２のラッチ係合位置は、スライダ４０２の格納位置に対応する。
【００５６】
スライダ４０２は、フレーム４０１に対してラッチ係合ピン４１３の第１のラッチ係合位置（図８Ｄ）と第２のラッチ係合位置（図８Ｇ）の間の距離に等しい距離を移動する。スライダ４０２の横方向要素４０８が反射型ランプのレンズ又は反射板を端に備えるならば、反射型ランプは、ユーザによる選択のために、スライダ４０２の拡張位置及び格納位置での２つのプリセットビーム角の設定を提供することができる。
【００５７】
ユーザがスライダ４０２を格納位置（図８Ｇ）から拡張位置（図８Ｄ及び８Ｊ）に再設定したい場合、ユーザは、フレームに向かって横方向要素４０８に押圧力を加えることによりスライダ４０２を押すだけでよい。スライダ４０２は枢動アーム４０３のラッチ係合ピン４１３によって、第２のラッチ係合位置を離れるよう案内されて、移動して第２の端部位置（図８Ｈ）で停止する。ユーザがスライダをそれ以上押せないと感じると、押圧力は除去される。するとスライダ４０２は、弾性部材４０４の反発によって駆動されて上方に移動し、それは枢動アーム４０３のラッチ係合ピン４１３をカムトラック４０５に沿って案内し、摺動斜面４０６はカムトラック４０５と繋がっているため摺動斜面の上端４０６ｂ（図８Ｊ）にジャンプする。従って、ラッチ係合ピン４１３は第１のラッチ係合位置４０６ｂ（図８Ｄ及び８Ｊ）に戻り、そこではスライダ４０２は拡張位置に戻る。
【００５８】
図９Ａ〜１３Ｂを参照すると、本発明の好ましい一実施形態において構成された例示のＬＥＤ反射型ランプ１０００が図示される。反射型ランプ１０００は、本発明のプッシュ−プッシュ型調整アセンブリ、例えば上述したプッシュ−プッシュ型調整アセンブリ４００を備える。
【００５９】
図１０に図示されるように、ＬＥＤ反射型ランプ１０００は、ランプハウジング１００５と、プッシュ−プッシュ型調整アセンブリ４００と、ヒートシンク１００３と、反射板カップ１００２と、頂部を覆って反射板カップ１００２の内側に配置されたレンズ１００１と、ヒートシンク１００３に設置されて、反射板カップ１００２の内部の底部に同軸に配置されたＬＥＤ光源（図示せず）とを備える。レンズ１００１及び反射板カップ１００２の提供は反射型ランプの設計に依存し、本発明についての簡略化された実施形態ではそれらの一方を削除し得ることが理解される。
【００６０】
ランプハウジング１００５は、通常はランプが一般的なＧＵ１０照明設備のような所望の照明設備に適合するようにして、その底部において２つの金属端子１００６を用いて設置される成形プラスチック部品である。電子式ドライバ又は他の電子機器が、通常はランプハウジング１００５の空洞の下部内側に配置され、これはヒートシンク１００３などの他の金属部品から絶縁される。
【００６１】
レンズ１００１は、一般にそのコンパクトさ及び高い光学的性能から使用される、内部全反射（ＴＩＲ）レンズ又はフレネルレンズである。レンズ１００１は、一般にＬＥＤ光源からの光ビームを収束させて特定の照明ビーム角で分配するための、澄んだ透明の成形プラスチック部品又は成形ガラス部品である。ヒートシンク１００３は、反射板カップ１００２の外側表面を受ける内側表面を有する。
【００６２】
反射板カップ１００２の底部は２つの穴を有し、これらはレンズ１００１及び反射板カップ１００２が可動となるように、２つのねじ１００９（図１１Ａ及び１１Ｂ参照）によって反射板カップ１００２をプッシュ−プッシュ型調整アセンブリ４００の横方向要素４０８と固定するために、ヒートシンク１００３の底部に形成された切り欠き１００７によって露出されている。あるいは、横方向要素４０８は、反射板カップ１００２が静止かつヒートシンク１００３に取り付けられた状態を維持しながらレンズ１００１を移動させるために、反射板カップ１００２及びヒートシンク１００３に形成された穴を通して、レンズ１００１に直接取り付けられることができる。従って、レンズ１００１と、反射板カップ１００２と、調整アセンブリ４００とでのアセンブリは、ランプハウジング１００５の内側で往復運動することができる。フレーム４０１はヒートシンク１００３の背部に２つのねじ１００４で固定され、静止したままにされる。プッシュ−プッシュ型調整アセンブリ４００の構造については、フレームの中心軸に対して２つの対向するねじ穴を有する図８Ｂに示されるフレーム４０１と違って、フレーム４０１をＬＥＤランプ１０００に固定するために反射型ランプ１０００のフレーム４０１のねじ穴が同じ側に設計されていることを除いて、上述の第４の実施形態を参照することができる。従って、プッシュ−プッシュ型調整アセンブリ４００の構造に関しては詳述しない。
【００６３】
図９Ａ及び９Ｂは、レンズ１００１がそれぞれ拡張位置及び格納位置にある、例示のＬＥＤ反射型ランプ１０００の斜視図を示す。これら２つの位置の間の距離は、図９Ｂに「Ｄ」で記される。
【００６４】
図１１Ａは更に、レンズ１００１の表面と、ヒートシンク１００３の隣接した縁部との間により幅の広い間隙が観察される、拡張位置のレンズを示す。スライダ４０２の横方向要素４０８は、取り付けねじ１００９によってレンズ１００１又は反射板カップ１００２に取り付けられる。横方向要素４０８とフレーム４０１の間に形成された開いた間隙１００８は、反射板カップ１００２及びレンズ１００１が拡張状態にあることを示す。図１１Ｂは、格納状態のレンズを示す。スライダ４０２の横方向要素４０８は格納されて、スライダ４０２の貫通を可能にするヒートシンク１００３の内側の２つの穴１００７が露出し、そしてフレーム４０１と横方向要素４０８の間の間隙１００８が閉じられる。
【００６５】
簡略化のために、図１２は反射型ランプの一部の構成部品を示し、それはレンズ１００１と、反射板カップ１００２と、プッシュ−プッシュ型調整アセンブリ４００とを有し、反射型ランプの他の機械部品及び電子部品は除かれている。
【００６６】
図１３Ａ及び１３Ｂは、拡張状態（図１３Ａ）及び格納状態（図１３Ｂ）の反射型ランプ１０００の断面図である。図１３Ａでは、反射型ランプ１０００のレンズ１００１は上昇されて、横方向要素４０８はヒートシンク１００３の底面に極めて近い。図１３Ｂの反射型ランプは格納状態である。反射板カップとレンズのアセンブリは、プッシュ−プッシュ型調整アセンブリ４００がその格納位置にあるので、距離Ｄを下向きに移動している。
【００６７】
ドライバ及び他の電子機器などの反射型ランプ１００の他の構造は、本発明の本質ではないため、本明細書において詳述しない。
【００６８】
このように、本発明は、光ビーム角及び照明パターンを容易に調整するという課題を効果的に解決する反射型ランプを提供する。それは、ランプ前方の反射板カップ若しくはレンズを押すことによって、又は３つ以上のビーム角の設定の間で選択を行うためにプランジャを押すことによってなされる。
【００６９】
いくつかの好ましい実施形態により本発明の本質を十分に記載したが、本発明は、実施形態及び図面の構造及び特徴に限定されるべきでない。本発明は、その基本原理が改変、変更又は修正されない限り、細部の変形をすることができることが明記される。本発明の範囲から逸脱することなく当業者の通常の知識によって容易に得られる多数の変形及び修正は、本発明の範囲に含まれる。
【符号の説明】
【００７０】
１００    プッシュ−プッシュ型調整アセンブリ
１０１    フレーム
１０２    スライダ
１０３    ピン部材
１０４    弾性部材
１０５    カムトラック
１０６    閉じた進路
２００    プッシュ−プッシュ型調整アセンブリ
２０１    フレーム
２０２    スライダ
２０３    ピン部材
２０４    弾性部材
２０５    カムトラック
２０７、２０７Ａ、２０７Ｂ    プランジャ
２０７ａ  上側プランジャ部分
２０７ｂ  プランジャスタッド
２０７ｃ  頂部ボタン
２０７ｄ  ストッパ
２０８    枢動キャッチ
２０９    コイルばね
２１０    ハウジング
２１１    スプリングバレル
３００    プッシュ−プッシュ型調整アセンブリ
３０１ａ  前方フレーム部材
３０１ｂ  後方フレーム部材
３０２    スライダ
３０２１  下部スタブ
３０２２  横方向要素
３０２３  横方向のスロット穴
３０３    トラックボール
３０４    弾性部材
３０５    カムトラック
３０６    閉じた進路
３０７    ストッパ
４００    プッシュ−プッシュ型調整アセンブリ
４０１    フレーム
４０２    スライダ
４０３    枢動アーム
４０４    弾性部材
４０５    カムトラック
４０６    摺動斜面
４０６ａ  摺動斜面の下端
４０６ｂ  摺動斜面の上端
４０７    ベースポスト
４０８    横方向要素
４０９    キャビティ
４１０    枢動端部
４１１    ばね
４１２    自由端
４１３    ラッチ係合ピン
１０００  反射型ランプ
１００１  レンズ
１００２  反射板カップ
１００３  ヒートシンク
１００５  ランプハウジング
【図１】
2019135714.tif 000003
【図２】
2019135714.tif 000004
【図３】
2019135714.tif 000005
【図４】
2019135714.tif 000006
【図５Ａ−５Ｂ】
2019135714.tif 000007
【図５Ｃ−５Ｄ】
2019135714.tif 000008
【図５Ｅ−５Ｊ】
2019135714.tif 000009
【図６Ａ−６Ｂ】
2019135714.tif 000010
【図６Ｃ−６Ｄ】
2019135714.tif 000011
【図６Ｅ】
2019135714.tif 000012
【図７Ａ−７Ｂ】
2019135714.tif 000013
【図７Ｃ−７Ｄ】
2019135714.tif 000014
【図７Ｅ】
2019135714.tif 000015
【図７Ｆ−７Ｌ】
2019135714.tif 000016
【図８Ａ】
2019135714.tif 000017
【図８Ｂ】
2019135714.tif 000018
【図８Ｃ】
2019135714.tif 000019
【図８Ｄ−８Ｆ】
2019135714.tif 000020
【図８Ｇ−８Ｊ】
2019135714.tif 000021
【図９】
2019135714.tif 000022
【図１０】
2019135714.tif 000023
【図１１】
2019135714.tif 000024
【図１２】
2019135714.tif 000025
【図１３】
2019135714.tif 000026